(57)【要約】【課題】  測定データファイルに対し、ユーザの好みや必要性等に応じて任意のファイル名を自動的に付与できるようにする。【解決手段】  あらかじめ記憶されている情報のうちから任意の情報をユーザの指定に応じて選択し、当該選択情報に基づいてファイル名フォーマットを設定する。そして、保存される測定データファイルに対し、あらかじめ設定しておいたファイル名フォーマットに基づきファイル名を自動的に生成して付与する。【選択図】      図５
2007249613.tif 000002
【特許請求の範囲】
【請求項１】
試料に対し熱分析測定を実行する測定部と、測定部で得られた測定データに対し所定の処理プログラムに基づきデータ処理を実行するデータ処理部と、このデータ処理部で処理された測定データをファイルとして保存する記憶部とを備えた熱分析測定システムにおいて、
前記データ処理部は、
任意のファイル名フォーマットをあらかじめ設定するフォーマット設定手段と、
前記保存される測定データファイルに対し、前記あらかじめ設定しておいたファイル名フォーマットに基づきファイル名を自動的に生成して付与するファイル名生成手段と、を含むことを特徴とする熱分析測定システム。
【請求項２】
前記測定部は、オートサンプルチェンジャを用いて試料を自動交換し、多数の試料を連続して熱分析測定する構成となっており、
前記ファイル名生成手段は、前記記憶部に保存されている測定データファイルに、生成したファイル名と同一のファイル名が存在する場合は、当該生成したファイル名を変更する構成となっていることを特徴とする請求項１の熱分析測定システム。
【請求項３】
前記フォーマット設定手段は、ユーザの指定に応じてファイル名に使用する項目を選択し、当該選択項目に基づいてファイル名フォーマットを設定することを特徴とする請求項１又は２の熱分析測定システム。
【請求項４】
前記フォーマット設定手段が選択可能なファイル名に使用する項目として、少なくとも、固定文字列、ユーザに関する項目、システムを構成する装置に関する項目、測定試料に関する項目、測定条件に関する項目があらかじめ設定されていることを特徴とする請求項３の熱分析測定システム。
【請求項５】
前記ファイル名に使用する項目に対応した情報をあらかじめ前記記憶部に記憶してあり、
前記ファイル名生成手段は、前記フォーマット設定手段により設定されたファイル名フォーマットに基づき、前記あらかじめ記憶してある情報のうちから当該ファイル名フォーマットに用いられた項目に対応する情報を抽出して、ファイル名を自動的に生成することを特徴とする請求項２乃至４のいずれか一項に記載の熱分析測定システム。
【請求項６】
試料に対し熱分析測定を実行する測定部と、測定部で得られた測定データに対し所定の処理プログラムに基づきデータ処理を実行するデータ処理部と、このデータ処理部で処理された測定データをファイルとして保存する記録部とを備えた熱分析測定システムにおいて、
任意のファイル名フォーマットをあらかじめ設定するフォーマット設定ステップと、
前記保存される測定データファイルに対し、前記あらかじめ設定しておいたファイル名フォーマットに基づきファイル名を自動的に生成して付与するファイル名生成ステップと、を含むことを特徴とする測定データファイル名の自動設定方法。
【請求項７】
前記フォーマット設定ステップでは、ユーザの指定に応じてファイル名に使用する項目を選択し、当該選択項目に基づいてファイル名フォーマットを設定することを特徴とする請求項６に記載した測定データファイル名の自動設定方法。
【請求項８】
前記ファイル名に使用する項目に対応した情報をあらかじめ記憶してあり、
前記ファイル名生成ステップでは、前記設定されたファイル名フォーマットに基づき、前記あらかじめ記憶してある情報のうちから当該ファイル名フォーマットに用いられた項目に対応する情報を抽出して、ファイル名を自動的に生成することを特徴とする請求項７に記載した測定データファイル名の自動設定方法。
【請求項９】
前記ファイル名生ステップでは、前記記憶部に保存されている測定データファイルに、生成したファイル名と同一のファイル名が存在する場合は、当該生成したファイル名を変更する構成となっていることを特徴とする請求項６乃至８のいずれか一項に記載した測定データファイル名の自動設定方法。
【発明の詳細な説明】
【技術分野】
【０００１】
この発明は、熱分析測定システムに関し、特に測定データの保存ファイルに対しファイル名を自動的に設定できるようにした熱分析測定システムに関する。
【背景技術】
【０００２】
熱分析測定システムにおいては、測定開始に際して測定データの保存ファイルが作成され、当該保存ファイルに測定データを記録してハードディスク等の記憶メディアに保存する構成が一般に備わっている。
測定データの保存ファイルは、新規作成時点でファイル名が手動又は自動で設定される。保存ファイル名をユーザがいちいち付与するのは面倒であるため、ユーザとしてはファイル名は自動的に設定される方が好ましい。
【０００３】
ファイル名を自動設定する従来技術としては、特許文献１に開示されたものが知られている。同文献１には、測定開示時に測定開始日時を読み込み、当該日時を符号化して保存ファイルのファイル名とする構成が開示されている。
【特許文献１】特開平１−８２１８７号公報
【発明の開示】
【発明が解決しようとする課題】
【０００４】
しかしながら、測定開始日時はファイル作成日時とほぼ同じであり、そしてファイル作成日時は、属性情報（プロパティ）としてファイルに付与され、ウインドウズ（商標名）ＯＳなどにおいてはファイル名と共に表示して閲覧可能である。よって、測定開始日時を測定データのファイル名としても、ユーザにとって操作性が向上したという実感がない。
【０００５】
本発明はこのような事情に鑑みてなされたもので、測定データファイルに対し、ユーザの好みや必要性等に応じて任意のファイル名を自動的に付与できるようにすることを目的とする。
【課題を解決するための手段】
【０００６】
上記目的を達成するために、本発明の熱分析測定システムは、試料に対し熱分析測定を実行する測定部と、測定部で得られた測定データに対し所定の処理プログラムに基づきデータ処理を実行するデータ処理部と、このデータ処理部で処理された測定データをファイルとして保存する記憶部とを備えた熱分析測定システムにおいて、
データ処理部が、
任意のファイル名フォーマットをあらかじめ設定するフォーマット設定手段と、
保存される測定データファイルに対し、あらかじめ設定しておいたファイル名フォーマットに基づきファイル名を自動的に生成して付与するファイル名生成手段と、を含むことを特徴とする。
【０００７】
ここで、測定部は、オートサンプルチェンジャを用いて試料を自動交換し、多数の試料を連続して熱分析測定する構成とすることが好ましい。その場合、ファイル名生成手段には、記憶部に保存されている測定データファイルに、生成したファイル名と同一のファイル名が存在するとき、当該生成したファイル名を変更する機能を付加する。
【０００８】
フォーマット設定手段は、ユーザの指定に応じてファイル名に使用する項目を選択し、当該選択項目に基づいてファイル名フォーマットを設定する構成とすることができる。
【０００９】
また、本発明の熱分析測定システムは、フォーマット設定手段が選択可能なファイル名に使用する項目として、少なくとも、固定文字列、ユーザに関する項目、システムを構成する装置に関する項目、測定試料に関する項目、測定条件に関する項目をあらかじめ設定しておくこと好ましい。
【００１０】
さらに、ファイル名に使用する項目に対応した情報をあらかじめ記憶部に記憶しておき、
ファイル名生成手段が、フォーマット設定手段により設定されたファイル名フォーマットに基づき、あらかじめ記憶してある情報のうちから当該ファイル名フォーマットに用いられた項目に対応する情報を抽出して、ファイル名を自動的に生成する構成とすることが好ましい。
【００１１】
次に、本発明の方法は、試料に対し熱分析測定を実行する測定部と、測定部で得られた測定データに対し所定の処理プログラムに基づきデータ処理を実行するデータ処理部と、このデータ処理部で処理された測定データをファイルとして保存する記録部とを備えた熱分析測定システムにおいて、
任意のファイル名フォーマットをあらかじめ設定するフォーマット設定ステップと、
保存される測定データファイルに対し、あらかじめ設定しておいたファイル名フォーマットに基づきファイル名を自動的に生成して付与するファイル名生成ステップと、を含むことを特徴とする。
【００１２】
ここで、上記フォーマット設定ステップでは、ユーザの指定に応じてファイル名に使用する項目を選択し、当該選択項目に基づいてファイル名フォーマットを設定することが好ましい。
【００１３】
また、ファイル名に使用する項目に対応した情報をあらかじめ記憶しておき、
ファイル名生成ステップでは、設定されたファイル名フォーマットに基づき、あらかじめ記憶してある情報のうちから当該ファイル名フォーマットに用いられた項目に対応する情報を抽出して、ファイル名を自動的に生成することが好ましい。
【００１４】
さらに、ファイル名生ステップでは、記憶部に保存されている測定データファイルに、生成したファイル名と同一のファイル名が存在する場合に、当該生成したファイル名を変更することが好ましい。
【発明の効果】
【００１５】
以上説明した本発明によれば、ユーザの好みや必要性等に応じて任意のファイル名フォーマットをあらかじめ設定しておくことができ、このファイル名フォーマットに基づいて自動的に測定データファイルに対してファイル名が付与されるので、ユーザにとって有用なファイル名により測定データファイルを保存しておくことができる。
【発明を実施するための最良の形態】
【００１６】
以下、本発明を熱分析測定システムに適用した実施の形態について図面を参照して詳細に説明する。
図１は本発明の実施形態に係る熱分析測定システムの概略構成を示すブロック図である。
熱分析測定システムは、熱分析測定ユニット１０（測定部）と、コンピュータ２０とを含んでいる。熱分析測定ユニット１０には、示差熱分析装置（ＤＴＡ）、示差走査熱量計（ＤＳＣ）、熱重量測定装置（ＴＧ）など、各種の熱分析装置が適用される。本実施形態の熱分析測定ユニット１０は、図には具体的に示されていないが、オートサンプルチェンジャを用いて試料を自動交換し、多数の試料を連続して熱分析測定する構成となっている。
【００１７】
コンピュータ２０は、熱分析測定ユニット１０にて得られた測定データをデータ処理プログラムに基づいて処理するデータ処理部２１と、データを一時保存する内部メモリ２２と、処理された測定データをファイルとして保存するハードディスク装置２３（記憶部）とを備えている。
【００１８】
さらに、データ処理部２１は、任意のファイル名フォーマットをあらかじめ設定するフォーマット設定部２４（フォーマット設定手段）と、保存される測定データファイルに対し、上記ファイル名フォーマットに基づいてファイル名を自動的に生成して付与するファイル名生成部２５（ファイル名生成手段）とを含んでいる。
ハードディスク装置２３は、入出力インターフェース２６を介してシステムバス２７に接続されている。なお、記憶部としては、ハードディスク装置２３に限定されるものではなく、各種の記憶メディアを適用できることは勿論である。
さらに、コンピュータ２０は、キーボードやマウスなどの入力装置２８と、液晶ディスプレイなどの表示装置２９とを備えており、これらの装置も入出力インターフェース２６を介してシステムバス２７に接続されている。
【００１９】
データ処理プログラムは、あらかじめハードディスク装置２３に格納してあり、システムを起動した際に内部メモリ２２に読み出される。このデータ処理プログラムには、測定データファイルに対するファイル名の自動付与プログラムも含まれている。
また、ハードディスク装置２３には、ファイル名を自動生成するための事前情報として、例えば、任意の固定文字列、ユーザに関する情報、システムを構成する装置に関する情報、測定試料に関する情報、測定条件に関する情報などが記憶されている。このうち、固定文字列は、あらかじめ設定するか、または入力装置２８からユーザが任意に入力することができる。ユーザに関する情報としては、例えば、システムへのログイン名や、入力装置２８を介してユーザが入力したユーザ名などがある。システムを構成する装置に関する情報としては、あらかじめ設定されているコンピュータ２０名や装置番号等がある。また、測定試料に関する情報としては、試料名や試料重量、試料寸法、試料形状、基準試料名などがある。測定条件に関する情報としては、熱分析測定ユニット１０を制御する温度プログラムの設定温度、昇温速度、温度保持時間などがある。これら測定試料に関する情報や、測定条件に関する情報についても、入力装置２８から入力することができる。
【００２０】
図２はファイル名フォーマットの設定手順を示すフローチャートである。
入力装置２８を介してユーザからのファイル名フォーマット作成指定があると（ステップＳ１）、データ処理プログラムに含まれるファイル名の自動付与プログラムに基づいて、表示装置２９にファイル名フォーマットの作成画面が表示される（ステップＳ２）。
【００２１】
図３はファイル名フォーマットの作成画面の構成例を示す図である。
この作成画面を参照してユーザが、ファイル名に使用する項目を指定する。作成画面には、ファイル名に使用する項目として、あらかじめ固定文字、ログイン名、コンピュータ２０名、装置番号、熱分析測定ユニット１０の装置名、累積測定回数、測定終了時間、試料名、試料重量など、ファイル名に使用可能な各種の項目が一覧表示されている。ここで一覧表示される項目は、ファイル名を自動生成するためあらかじめハードディスク装置２３に記憶してある上記事前情報に対応している。ユーザは、これらの項目からファイル名として使用したいものを選択することができる（ステップＳ３）。
【００２２】
さらに、作成画面に一覧表示された各項目には、それぞれ表示桁数の指定画面が対応している。この表示桁数指定画面は、例えば、作成画面上の選択項目をダブルクリックすることで表示されるようにプログラムされている。ユーザは、この表示桁数指定画面において、表示項目の桁数を指定することができる（ステップＳ４）
【００２３】
図４は表示桁数の指定画面の一例を示す図である。図３に示した作成画面上の項目「装置番号」をダブルクリックすれば、図４に示すような表示桁数の指定画面が表れる。この指定画面により、装置番号の表示形式を任意に指定すれば、その指定した表示形式に対応して表示桁数が自動的に決定される。例えば、装置番号として「Ｃｈ１」という表示形式を指定すれば表示桁数は３桁となる。
なお、ファイル名として表示可能な項目には、ユーザが入力装置２８を介して任意に文字列を指定可能なものもある。また、項目によっては、表示桁数が一律に決まっているものもあり、そのような項目に関しては、作成画面で選択すると同時に表示桁数の指定も完了する。
【００２４】
また、作成画面では、ファイル名に使用する項目の表示順序も指定される（ステップＳ５）。例えば、「装置番号」「装置名」「累積測定回数」の各項目をこの順序でファイル名に表示したい場合は、まず「装置番号」の項目選択と表示桁数の指定を実行し、次いで「装置名」の項目選択と表示桁数の指定を実行し、最後に「累積測定回数」の項目選択と表示桁数の指定を実行する。このように項目選択と表示桁数の指定を実行する順番で、ファイル名における表示順序が指定される。
【００２５】
このようにして作成されたファイル名のイメージは、作成画面にある「ファイル名の表示イメージ」の欄に表示される。作成したファイル名でよければＯＫボタンをクリックして確定させる。この確定情報に基づき、フォーマット設定部２４が、ファイル名フォーマットを作成するとともに（ステップＳ６）、当該ファイル名フォーマットをファイルにしてハードディスク装置２３に保存する（ステップＳ７）。
【００２６】
図５は測定データファイルに対してファイル名を付与する手順を示すフローチャートである。
熱分析測定システムに測定開始の指令が出力されると、データ処理プログラムに含まれるファイル名の自動付与プログラムに基づいて、ファイル名生成部２５が、あらかじめ保存されているファイル名フォーマットをハードディスク装置２３から読み出す（ステップＳ１０）。
【００２７】
次いで、ファイル名生成部２５は、ファイル名フォーマットの表示項目に対応する情報を、ハードディスク装置２３から抽出して、表示項目部分に当てはめてファイル名を編集する（ステップＳ１１）。このようにして作成したファイル名について、ハードディスク装置２３に設定された測定データ保存フォルダ内に、同一ファイル名があるかどうか確認し（ステップＳ１２）、同一ファイル名がなければ、当該ファイル名により測定データの保存ファイルを作成する（ステップＳ１３）。熱分析測定システムから送られてくる測定データは、データ処理された後、上記保存ファイルに記録されて、ハードディスク装置２３に保存される。
【００２８】
一方、作成したファイル名と同一のファイルが、測定データ保存フォルダ内に存在する場合は、記号、数字、文字等を付加してファイル名を変更する（ステップＳ１４）。例えば、ファイル名の末尾に「−」に続く４桁の数字（−ｎｎｎｎ）を付加してファイル名を変更する。これにより、オートサンプルチェンジャを用いた自動測定において、測定作業の迅速化を図ることができる。
【００２９】
なお、ユーザにより手作業で試料を交換する場合は、図６に示すようなファイルの上書きを確認するダイアログ３０を表示して、ユーザに注意を促す構成としてもよい。ユーザは、ファイルの上書きを了承する場合は「ＯＫ」ボタンをクリックすればよい。また、別のファイル名に変更してファイルの上書きを回避することもできる。その場合は、新しいファイル名をダイアログ３０の入力欄３１に記載して「ＯＫ」ボタンをクリックする。
【００３０】
このようにして、ユーザの好みや必要性等に応じて任意のファイル名フォーマットをあらかじめ設定しておくことができ、このファイル名フォーマットに基づいて自動的に測定データファイルに対してファイル名が付与されるので、ユーザにとって有用なファイル名により測定データファイルを保存しておくことができる。
なお、本発明は上述した実施形態に限定されるものでないことは勿論である。
【図面の簡単な説明】
【００３１】
【図１】本発明の実施形態に係る熱分析測定システム（測定システム）の概略構成を示すブロック図である。
【図２】ファイル名フォーマットの設定手順を示すフローチャートである。
【図３】ファイル名フォーマットの作成画面の構成例を示す図である。
【図４】表示桁数の指定画面の一例を示す図である。
【図５】測定データファイルに対してファイル名を付与する手順を示すフローチャートである。
【図６】ファイルの上書きを確認するダイアログの表示画面を示す図である。
【符号の説明】
【００３２】
１０：熱分析測定ユニット、２０：コンピュータ、２１：データ処理部、２２：内部メモリ、２３：ハードディスク装置、２４：フォーマット設定部、２５：ファイル名生成部、２６：入出力インターフェース、２７：システムバス、２８：入力装置、２９：表示装置
【図１】
2007249613.tif 000003
【図２】
2007249613.tif 000004
【図３】
2007249613.tif 000005
【図４】
2007249613.tif 000006
【図５】
2007249613.tif 000007
【図６】
2007249613.tif 000008